(57)【要約】      （修正有）【課題】額縁被覆部材を設置することにより額縁を目立たなくさせるとともに、予め定められた視聴位置における視聴者に対し、表示領域がその額縁被覆部材の陰に隠れてしまうという不具合が生じないように構成されたマルチディスプレイ装置を提供する。【解決手段】マルチディスプレイ装置は、隣接する一対の表示領域間の一対のベゼル２１にそれぞれ設置される長尺の額縁被覆部材３０であって、長手方向Ｙに延び、一対のベゼル２１に臨んで配置される設置面４１と、長手方向Ｙに延び、設置面４１に対して傾斜する２つの傾斜面４２，４３とを有し、表示領域からの出射光を反射または拡散する額縁被覆部材３０を含み、各額縁被覆部材３０は、設置対象の一対のベゼル２１の縦方向および／または横方向における位置に応じて、その高さ寸法ｈがそれぞれ異なる。【選択図】図３
2012226090.tif 000002
【特許請求の範囲】
【請求項１】
画像を表示可能な表示パネルと該表示パネルにおける画像の表示領域を外囲する額縁とを備える複数の画像表示装置を、縦方向および／または横方向に平面的に並べて構築されるマルチディスプレイ装置であって、
隣接する一対の表示領域間の額縁にそれぞれ設置される長尺の額縁被覆部材であって、長手方向に延び、額縁に臨んで配置される設置面と、長手方向に延び、該設置面に対して傾斜する２つの傾斜面とを有し、表示領域からの出射光を反射または拡散する額縁被覆部材を含み、
前記各額縁被覆部材は、設置対象の額縁の前記縦方向および／または横方向における位置に応じて、額縁からの高さ寸法がそれぞれ決定されることを特徴とするマルチディスプレイ装置。
【請求項２】
前記各額縁被覆部材は、設置対象の額縁の前記縦方向および／または横方向における位置に応じて、設置面に対する傾斜面の角度がそれぞれ決定されることを特徴とする請求項１記載のマルチディスプレイ装置。
【請求項３】
前記額縁被覆部材は、前記長手方向に垂直な断面の形状が三角形の柱状部材であることを特徴とする請求項１または２記載のマルチディスプレイ装置。
【請求項４】
前記額縁被覆部材は、前記長手方向に垂直な断面の形状が台形の柱状部材であることを特徴とする請求項１または２記載のマルチディスプレイ装置。
【請求項５】
前記額縁被覆部材は、前記傾斜面が湾曲していることを特徴とする請求項１〜４のいずれか１つに記載のマルチディスプレイ装置。
【請求項６】
前記額縁被覆部材は、前記設置面における前記長手方向に垂直な幅方向の中心を含み該設置面に垂直な仮想一平面に関して、非対称に形成されていることを特徴とする請求項１〜５のいずれか１つに記載のマルチディスプレイ装置。
【請求項７】
前記額縁被覆部材は、前記長手方向に垂直な断面の形状が、３辺の長さがそれぞれ異なる三角形であることを特徴とする請求項３記載のマルチディスプレイ装置。
【請求項８】
前記額縁被覆部材は、額縁からの高さ寸法を調整可能な機構を備えて構成されることを特徴とする請求項１または２記載のマルチディスプレイ装置。
【請求項９】
前記額縁被覆部材は、設置面に対する傾斜面の角度を調整可能な機構を備えて構成されることを特徴とする請求項２記載のマルチディスプレイ装置。
【請求項１０】
前記額縁被覆部材に固定され、隣接する画像表示装置間の隙間に挿入可能な差込部材をさらに備えることを特徴とする請求項１〜９のいずれか１つに記載のマルチディスプレイ装置。
【発明の詳細な説明】
【技術分野】
【０００１】
本発明は、マルチディスプレイ装置に関し、特に、画像を表示することができない額縁を目立たなくさせるように構成されたマルチディスプレイ装置に関する。
【背景技術】
【０００２】
近年、インフォメーションディスプレイおよび業務用ディスプレイとして、画像を表示可能な表示パネルを備える複数の画像表示装置を、平面的に隙間なく並べて配置することによって構築されるマルチディスプレイ装置が用いられるようになっている。
【０００３】
マルチディスプレイ装置は、大型の画面を容易に構築することができる反面、各画像表示装置間の継目部分に、ベゼルとも称される額縁が配置されるため、画像を表示することができない領域（以下、「非表示領域」と称する）が形成されることになる。これにより、マルチディスプレイ装置で表示される大型の画面は、格子状の線が入ったように見えてしまい、表示される画像の品位が低下してしまうという問題がある。
【０００４】
このような問題を解決するための従来技術は、たとえば特許文献１，２に提案されている。特許文献１に記載される従来技術では、画像光を投影する複数の投影機と、各投影機から投影される画像光を平行光にする複数のフレネルレンズと、平行光にされた画像光の結像位置に設けられ、画像光を前方へ導く複数の導光体によって構成されるスクリーン部とを備え、各導光体において画像光入力端面に対して画像光出力端面が中心側に偏倚するように、各導光体を構成する光ファイバを湾曲させることにより、スクリーン部の前端面に、額縁の生じない統一画像表示面を形成したマルチディスプレイ装置が提案されている。
【０００５】
この特許文献１に記載される従来技術は、マルチディスプレイ装置を実現するための構成が複雑となるだけでなく、マルチディスプレイ装置を実現するために、画素数に相当する本数の光ファイバの束が必要となり、製造コストが高額になってしまうという問題がある。
【０００６】
また特許文献２に記載される従来技術では、映像表示部と映像表示部の外周に設けられた非表示部とを有する平面型ディスプレイによって構成されるマルチディスプレイ装置において、映像表示部の外周部と該外周部に隣接する非表示部の両部分を跨ぎ、かつ映像表示部の外周辺に平行になるように、シリンドリカルレンズをその上面（または下面）に対して垂直な方向に略均等に４分割した形状を成した光学要素を配置することが提案されている。
【０００７】
この特許文献２に記載される従来技術は、映像表示部の周縁部から発せられる光を、その周縁部を覆うシリンドリカルレンズによって屈折させることで非表示部側へ導き、非表示部を見えないようにしている。しかしながら、この従来技術では、映像表示部の周縁部がシリンドリカルレンズによって覆われてしまうため、映像表示部の周縁部における画像の品位が低下してしまうという問題がある。
【０００８】
また、たとえば空港などでは、動く歩道など所定の通路を歩行している人を対象に広告などの情報を提供することを意図して、該所定の通路の周辺にマルチディスプレイ装置が設置される場合がある。このようなマルチディスプレイ装置に対して、前述のシリンドリカルレンズのような、額縁を目立たなくさせるために額縁を被覆する部材（以下、「額縁被覆部材」と称する）を、その形状および寸法を統一して、隣接する一対の表示領域間の各額縁上に設置してしまうと、前記所定の通路を歩行している人がマルチディスプレイ装置の画面を見たときに、表示領域の周縁部がその額縁被覆部材の陰に隠れてしまうという不具合が生ずるおそれがある。
【先行技術文献】
【特許文献】
【０００９】
【特許文献１】特開２００４−１７７６３２号公報
【特許文献２】特開２００９−１６２９９９号公報
【発明の概要】
【発明が解決しようとする課題】
【００１０】
本発明の目的は、額縁被覆部材を設置することにより額縁を目立たなくさせるとともに、予め定められた視聴位置における視聴者に対し、表示領域がその額縁被覆部材の陰に隠れてしまうという不具合が生じないように構成されたマルチディスプレイ装置を提供することである。
【課題を解決するための手段】
【００１１】
本発明は、画像を表示可能な表示パネルと該表示パネルにおける画像の表示領域を外囲する額縁とを備える複数の画像表示装置を、縦方向および／または横方向に平面的に並べて構築されるマルチディスプレイ装置であって、
隣接する一対の表示領域間の額縁にそれぞれ設置される長尺の額縁被覆部材であって、長手方向に延び、額縁に臨んで配置される設置面と、長手方向に延び、該設置面に対して傾斜する２つの傾斜面とを有し、表示領域からの出射光を反射または拡散する額縁被覆部材を含み、
前記各額縁被覆部材は、設置対象の額縁の前記縦方向および／または横方向における位置に応じて、額縁からの高さ寸法がそれぞれ決定されることを特徴とするマルチディスプレイ装置である。
【００１２】
また本発明は、前記各額縁被覆部材は、設置対象の額縁の前記縦方向および／または横方向における位置に応じて、設置面に対する傾斜面の角度がそれぞれ決定されることを特徴とする。
【００１３】
また本発明は、前記額縁被覆部材は、前記長手方向に垂直な断面の形状が三角形の柱状部材であることを特徴とする。
【００１４】
また本発明は、前記額縁被覆部材は、前記長手方向に垂直な断面の形状が台形の柱状部材であることを特徴とする。
【００１５】
また本発明は、前記額縁被覆部材は、前記傾斜面が湾曲していることを特徴とする。
また本発明は、前記額縁被覆部材は、前記設置面における前記長手方向に垂直な幅方向の中心を含み該設置面に垂直な仮想一平面に関して、非対称に形成されていることを特徴とする。
【００１６】
また本発明は、前記額縁被覆部材は、前記長手方向に垂直な断面の形状が、３辺の長さがそれぞれ異なる三角形であることを特徴とする。
【００１７】
また本発明は、前記額縁被覆部材は、額縁からの高さ寸法を調整可能な機構を備えて構成されることを特徴とする。
【００１８】
また本発明は、前記額縁被覆部材は、設置面に対する傾斜面の角度を調整可能な機構を備えて構成されることを特徴とする。
【００１９】
また本発明は、前記額縁被覆部材に固定され、隣接する画像表示装置間の隙間に挿入可能な差込部材をさらに備えることを特徴とする。
【発明の効果】
【００２０】
本発明によれば、予め定められた視聴位置における視聴者がマルチディスプレイ装置の画面を見たとき、表示領域が額縁被覆部材の陰に隠れてしまうという不具合を防止することができる。
【図面の簡単な説明】
【００２１】
【図１】本発明の一実施形態に係るマルチディスプレイ装置１の構成を示す正面図である。
【図２】図１の切断面線ＩＩ−ＩＩから見た断面図である。
【図３】図２における１つの額縁被覆部材３０付近を拡大して示す断面図である。
【図４】１つの額縁被覆部材３０付近を拡大して示す斜視図である。
【図５】マルチディスプレイ装置１に画像を表示させた状態を正面から見た図を示し、図５（ａ）は、額縁被覆部材３０が設置されていない状態のマルチディスプレイ装置１を示し、図５（ｂ）は、額縁被覆部材３０を設置した状態のマルチディスプレイ装置１を示している。
【図６】マルチディスプレイ装置１の公共の場所への設置状態を示す側面図である。
【図７】他の実施形態に係る額縁被覆部材１３０を拡大して示す断面図である。
【図８】他の実施形態に係る額縁被覆部材２３０を拡大して示す断面図である。
【図９】他の実施形態に係る額縁被覆部材３３０の設置状態を拡大して示す側面図である。
【図１０】他の実施形態に係るマルチディスプレイ装置１Ａにおける額縁被覆部材３０付近を拡大して示す断面図である。
【図１１】他の実施形態に係る額縁被覆部材４３０の設置状態を拡大して示す側面図である。
【図１２】他の実施形態に係るマルチディスプレイ装置１Ｂにおける額縁被覆部材５３０付近を拡大して示す断面図である。
【図１３】他の実施形態に係る額縁被覆部材６３０を示す断面図である。
【発明を実施するための形態】
【００２２】
図１は、本発明の一実施形態に係るマルチディスプレイ装置１の構成を示す正面図である。図２は、図１の切断面線ＩＩ−ＩＩから見た断面図である。
【００２３】
マルチディスプレイ装置１は、画像情報に応じた画像を表示可能な表示パネル２０と、表示パネル２０の周縁領域を覆う、額縁であるベゼル２１とを備える複数の画像表示装置１０を、縦方向および横方向に平面的に並べて構築される。マルチディスプレイ装置１は、各画像表示装置１０に対し、１つの画像を表示パネル２０の配置に応じて分割した分割画像の画像情報をそれぞれ与えることにより、複数の表示パネル２０により構成される大型の画面に、前記１つの画像を表示させることができる。
【００２４】
本実施形態に係るマルチディスプレイ装置１は、図１に示すように、２５台の画像表示装置１０を、縦横５×５のマトリクス状に並べて構築されている。他の実施形態では、たとえば１６台の画像表示装置１０を、縦横４×４のマトリクス状に並べて構築してもよい。
【００２５】
また、マルチディスプレイ装置１を構成する画像表示装置１０としては、非発光型の液晶パネルを表示パネル２０として備える液晶表示装置、または自発光型のプラズマディスプレイパネル（Plasma Display Panel）を表示パネル２０として備えるプラズマディスプレイ装置などによって実現される。
【００２６】
以下、各画像表示装置１０において、図２に示すように、表示パネル２０の厚み方向一方側の表面である表示面２０ａのうち、ベゼル２１に覆われずに、外部に露出している領域を、「表示領域」と称し、参照符Ｖ１を付して示す。すなわち、この表示領域Ｖ１に、前記分割画像が表示される。
【００２７】
また、マルチディスプレイ装置１において、各表示領域Ｖ１によって挟まれる領域、すなわち、マルチディスプレイ装置１をその正面側（図２における左側）から見たとき、各画像表示装置１０のベゼル２１が配置され、画像を表示することができない領域を、「非表示領域」と称し、参照符Ｖ２を付して示す。
【００２８】
本実施形態に係るマルチディスプレイ装置１は、非表示領域Ｖ２の存在に起因して大型の画面に形成されてしまう格子状の線Ｌ（図５（ａ）参照）を可及的に目立たなくさせるために、非表示領域Ｖ２に配置される一対のベゼル２１をマルチディスプレイ装置１の正面側から被覆するように、額縁被覆部材３０が設置されて構成される。
【００２９】
以下、本実施形態に係る額縁被覆部材３０の構成について詳細に説明する。図３は、図２における１つの額縁被覆部材３０付近を拡大して示す断面図である。なお図３では、額縁被覆部材３０を除く残余の構成については仮想線で示している。
【００３０】
額縁被覆部材３０は、長尺に形成され、その長手方向Ｙに垂直な仮想一平面で切断したときの断面の形状が三角形の柱状部材である。額縁被覆部材３０は、その長手方向Ｙに沿って延びる３つの平坦な外周面のうち、１つの外周面がベゼル２１に臨んで配置される設置面４１を成し、残余の外周面が傾斜面４２，４３を成している。
【００３１】
ここで、図３に示すように、額縁被覆部材３０において、設置面４１に平行な方向であって、長手方向Ｙに垂直な方向を幅方向Ｘとし、長手方向Ｙおよび幅方向Ｘのいずれにも垂直な方向を高さ方向Ｚとする。
【００３２】
また、額縁被覆部材３０において、設置面４１と一方の傾斜面４２との成す角度を第１傾斜角θ１とし、設置面４１と他方の傾斜面４３との成す角度を第２傾斜角θ２とし、傾斜面４２，４３どうしの成す角度を頂角θ３（ただし、θ３＝１８０°−θ１−θ２）とする。
【００３３】
また、額縁被覆部材３０において、高さ方向Ｚの寸法を高さ寸法ｈとする。さらに、各ベゼル２１における厚み方向の寸法を厚み寸法ｔとし、一対のベゼル２１における幅方向の寸法（すなわち、隣接する表示領域Ｖ１間の距離に相当）を幅寸法ｗとする。
【００３４】
本実施形態に係る額縁被覆部材３０は、平坦な傾斜面４２，４３の表面全体に亘って、高い反射率で光を反射する光反射面を形成することによって構成されている。すなわち、本実施形態に係る額縁被覆部材３０は、後述するように、表示領域Ｖ１からの出射光を反射するように構成されている。このような光反射面は、たとえばアルミニウムなどの金属薄膜を真空蒸着することによって形成される。
【００３５】
額縁被覆部材３０は、その長手方向Ｙと、表示領域Ｖ１間に配置される一対のベゼル２１の延びる方向とが一致し、設置面４１が一対のベゼル２１に臨むように設置される。すなわち、額縁被覆部材３０は、各傾斜面４２，４３が、その一対のベゼル２１に隣接する各表示領域Ｖ１にそれぞれ臨むように設置される。
【００３６】
図４は、１つの額縁被覆部材３０付近を拡大して示す斜視図である。図４に示すように、マルチディスプレイ装置１を稼動させることにより各表示領域Ｖ１に画像が表示されると、一対のベゼル２１に近接する一方の縁領域Ｖ１１から表示画像に応じて出射される出射光のうち、一部の出射光Ａ１が、その縁領域Ｖ１１に臨む傾斜面４２にそれぞれ入射する。傾斜面４２に入射した出射光Ａ１は、傾斜面４２に形成された光反射面で鏡面反射（正反射）することにより進行方向が変えられ、反射光Ａ２として、マルチディスプレイ装置１の正面側へ放射される。他方の縁領域Ｖ１１から傾斜面４３に入射した出射光Ａ１についても同様に振舞う。
【００３７】
図５は、マルチディスプレイ装置１に画像を表示させた状態を正面から見た図を示し、図５（ａ）は、額縁被覆部材３０が設置されていない状態のマルチディスプレイ装置１を示し、図５（ｂ）は、額縁被覆部材３０を設置した状態のマルチディスプレイ装置１を示している。
【００３８】
本実施形態に係る額縁被覆部材３０が設置されていない従来のマルチディスプレイ装置では、図５（ａ）に示すように、非表示領域Ｖ２に配置される一対のベゼル２１が、大型の画面において格子状の線Ｌとして視認されてしまい、マルチディスプレイ装置１に表示される画像の品位が低下してしまう。
【００３９】
これに対し、本実施形態に係るマルチディスプレイ装置１は、非表示領域Ｖ２に配置される一対のベゼル２１上に額縁被覆部材３０が設置されているので、表示画像に応じた光を、非表示領域Ｖ２から前方へ出射させることができる。
【００４０】
これにより、正面からマルチディスプレイ装置１の表示画面を視聴する視聴者の目に、非表示領域Ｖ２からも表示画像に応じた光を到達させることができるので、図５（ｂ）に示すように、ベゼル２１を可及的に目立たなくさせることができる。したがって、各表示領域Ｖ１に表示される画像の一体感が増し、マルチディスプレイ装置１に表示される画像の品位の低下を防止することができる。
【００４１】
図６は、マルチディスプレイ装置１の公共の場所への設置状態を示す側面図である。図６に示すように、本実施形態に係るマルチディスプレイ装置１は、その縦方向（図６における上下方向）における一対のベゼル２１の各位置に応じて、高さ寸法ｈの異なる額縁被覆部材３０がそれぞれ設置されている。
【００４２】
具体的には、最上段の一対のベゼル２１ａに、高さ寸法ｈ１の額縁被覆部材３０ａが設置され、上から２段目の一対のベゼル２１ｂに、高さ寸法ｈ２の額縁被覆部材３０ｂが設置され、上から３段目の一対のベゼル２１ｃに、高さ寸法ｈ３の額縁被覆部材３０ｃが設置され、上から４段目の一対のベゼル２１ｄに、高さ寸法ｈ４の額縁被覆部材３０ｄが設置されている。
【００４３】
なお、本実施形態では、各額縁被覆部材３０ａ〜３０ｄの幅方向Ｘの寸法はいずれも、設置対象の一対のベゼル２１ａ〜２１ｄの幅寸法ｗに一致しているものとする。また、各額縁被覆部材３０ａ〜３０ｄはいずれも、第１傾斜角θ１と第２傾斜角θ２とが等しくなるように形成されているものとする。
【００４４】
各額縁被覆部材３０ａ〜３０ｄの高さ寸法ｈ１〜ｈ４は、マルチディスプレイ装置１の設置環境および各画像表示装置１０のサイズに基づいて、予め定める視聴位置Ｐから視聴者がマルチディスプレイ装置１の画面を見たときに、すべての表示領域Ｖ１が額縁被覆部材３０の陰に隠れることのないように決定される。
【００４５】
具体的には、各額縁被覆部材３０ａ〜３０ｄの高さ寸法ｈ１〜ｈ４は、視聴者の視線２の高さＨ１、マルチディスプレイ装置１の床面Ｆからの設置高さＨ２、マルチディスプレイ装置１を構成する画像表示装置１０の縦方向寸法Ｈ３、および、マルチディスプレイ装置１の設置位置Ｑから予め定める視聴位置Ｐまでの距離Ｄに基づいて決定される。なお、設置位置Ｑから視聴位置Ｐまでの距離Ｄは、たとえば所定の通路を歩行する人を視聴対象者として設置するときには、その所定の通路までの距離によって定められる。
【００４６】
一実施例では、子供から大人までを想定して視聴者の視線２の高さＨ１を１２００ｍｍ〜１５００ｍｍと設定し、マルチディスプレイ装置１が、縦方向寸法Ｈ３が７７７ｍｍの画像表示装置１０で構成され、かつ設置高さＨ２が２００ｍｍの位置に設置されているものとし、さらに、設置位置Ｑから視聴位置Ｐまでの距離Ｄが２０００ｍｍと定められ、ベゼル２１ａ〜２１ｄの厚み寸法ｔを２ｍｍとし、一対のベゼル２１ａ〜２１ｄの幅寸法ｗを３０ｍｍとするとき、各額縁被覆部材３０ａ〜３０ｄの高さ寸法ｈ１〜ｈ４はそれぞれ、ｈ１＝１３ｍｍ，ｈ２＝２０ｍｍ，ｈ３＝２６ｍｍ，ｈ４＝２８ｍｍに決定される。
【００４７】
なお、この実施例では、最上段および上から２段目の額縁被覆部材３０ａ，３０ｂにおいて、上方に臨む傾斜面４２で正反射した反射光Ａ２を、視聴位置Ｐにおける視聴者に導くことができない。このような傾斜面４２については、乱反射面を形成しておくのが好ましい。
【００４８】
上記のように本実施形態によれば、マルチディスプレイ装置１の設置環境を考慮して、額縁被覆部材３０ａ〜３０ｄが設置される一対のベゼル２１の縦方向位置に応じて、各額縁被覆部材３０ａ〜３０ｄの高さ寸法ｈ１〜ｈ４をそれぞれ適切な値に決定しているので、予め定められた視聴位置における視聴者がマルチディスプレイ装置１の画面を見たとき、表示領域Ｖ１が額縁被覆部材３０ａ〜３０ｄの陰に隠れてしまうという不具合を防止することができる。
【００４９】
また、縦方向位置に応じて高さ寸法ｈ１〜ｈ４をそれぞれ適切な値に決定することにより、額縁被覆部材３０の高さ寸法を縦方向位置に依らずに一律に低減する場合と比較して、額縁被覆部材３０の各傾斜面４２，４３に入射する出射光Ａ１の光量を多くすることができる。すなわち、額縁被覆部材３０によるベゼル２１を目立たなくさせる効果を向上させることができる。
【００５０】
他の実施形態では、マルチディスプレイ装置１の縦方向だけでなく、マルチディスプレイ装置１の横方向（図６における紙面に垂直な方向）についても、一対のベゼル２１の横方向位置に応じて、高さ寸法ｈをそれぞれ適切な値に決定した額縁被覆部材３０を設置してもよい。これにより、表示領域Ｖ１が額縁被覆部材３０の陰に隠れてしまうという不具合を確実に防止することができる。
【００５１】
また他の実施形態では、額縁被覆部材３０が、第１傾斜角θ１と第２傾斜角θ２とが異なるように形成されていてもよい。たとえば上記実施例において、最上段の額縁被覆部材３０ａを、高さ寸法ｈ１＝２５ｍｍ、第１傾斜角θ１＝４１．９１°、第２傾斜角θ２＝８７．３６°となるように形成し、さらに、上から２段目の額縁被覆部材３０ｂを、高さ寸法ｈ２＝３０ｍｍ、第１傾斜角θ１＝５３．１３°、第２傾斜角θ２＝７５．９６°となるように形成してもよい。なお、傾斜面４２は、上方に臨む面であるものとし、傾斜面４３は、下方に臨む面であるものとする。
【００５２】
このような形状の額縁被覆部材３０ａ，３０ｂを設置することにより、反射光Ａ２を正反射で視聴位置Ｐにおける視聴者に導くことができるようになるため、傾斜面４２に乱反射面を形成する必要がなくなる。また、表示領域Ｖ１からの出射光Ａ１の額縁被覆部材３０における受光量を最大限確保しつつ、表示領域Ｖ１が額縁被覆部材３０の陰に隠れてしまうという不具合を確実に防止することができる。
【００５３】
図７は、他の実施形態に係る額縁被覆部材１３０を拡大して示す断面図である。本実施形態に係る額縁被覆部材１３０は、上記実施形態に係る額縁被覆部材３０に類似し、同一の構成については同一の参照符を付して説明を省略する。
【００５４】
本実施形態に係る額縁被覆部材１３０は、その長手方向Ｙに垂直な仮想一平面で切断したときの断面の形状が台形の柱状部材である。額縁被覆部材１３０は、その長手方向Ｙに沿って延びる４つの平坦な外周面のうち、１つの外周面がベゼル２１に臨んで配置される設置面４１を成し、設置面４１に隣接する２つの外周面が傾斜面４２，４３を成し、各傾斜面４２，４３に隣接し、設置面４１に平行な外周面が上面４４を成す。
【００５５】
本実施形態に係る額縁被覆部材１３０は、平坦な傾斜面４２，４３の表面全体に亘って、高い反射率で光を正反射する光反射面を形成し、上面４４の表面全体に亘って、乱反射面を形成することによって構成されている。
【００５６】
本実施形態では、前記のような形状に額縁被覆部材１３０が形成されているので、額縁被覆部材１３０の高さ寸法ｈを低減することができ、また、表示領域Ｖ１からの出射光Ａ１が傾斜面４２，４３で反射するときの反射角度を容易に最適化することができる。また、上面４４には乱反射面が形成されているので、マルチディスプレイ装置１の周辺の照明や人間などの映り込みを防止することができる。
【００５７】
図８は、他の実施形態に係る額縁被覆部材２３０を拡大して示す断面図である。本実施形態に係る額縁被覆部材２３０は、上記実施形態に係る額縁被覆部材３０に類似し、同一の構成については同一の参照符を付して説明を省略する。
【００５８】
本実施形態に係る額縁被覆部材２３０は、傾斜面４２，４３が、外方に向かって凸の湾曲面を成すように形成されている。このように傾斜面４２，４３を湾曲面とすることにより、表示領域Ｖ１からの出射光Ａ１が傾斜面４２，４３で反射するときの反射角度を容易に最適化することができる。他の実施形態では、傾斜面４２，４３が、中心に向かって窪む凹状の湾曲面を成すように形成されてもよい。
【００５９】
これらの額縁被覆部材３０，１３０，２３０は、１つのマルチディスプレイ装置１において、適宜組み合わせて設置することができる。
【００６０】
図９は、他の実施形態に係る額縁被覆部材３３０の設置状態を拡大して示す側面図である。本実施形態に係る額縁被覆部材３３０は、上記実施形態に係る額縁被覆部材３０に類似し、同一の構成については同一の参照符を付して説明を省略する。
【００６１】
本実施形態に係る額縁被覆部材３３０は、設置面４１における幅方向Ｘの中心を含み、設置面４１に垂直な仮想一平面に関して、非対称に形成されている。より詳細には、マルチディスプレイ装置１において縦方向位置の異なる一対のベゼル２１ｆ，２１ｇに対し、傾斜面４２，４３の上下を反転させるだけで設置できるような形状に形成されている。
【００６２】
本実施形態によれば、１つの形状の額縁被覆部材３３０を用いて、縦方向位置の異なる２段分の一対のベゼル２１ｆ，２１ｇを被覆することができるので、製造すべき額縁被覆部材の種類を低減することができる。
【００６３】
図１０は、他の実施形態に係るマルチディスプレイ装置１Ａにおける額縁被覆部材３０付近を拡大して示す断面図である。本実施形態に係るマルチディスプレイ装置１Ａは、隣接する画像表示装置１０間に僅かな隙間ｄを有するように、複数の画像表示装置１０が並べられて構築され、上記実施形態に係る額縁被覆部材３０を一対のベゼル２１上に設置するための部材であって、前記隙間ｄに挿入可能な差込部材５０を備えて構成される。
【００６４】
差込部材５０は、大略的にＬ字状に形成された板状部材であり、額縁被覆部材３０に連結される連結部５１と、連結部５１に対し直角に屈曲し、隣接する画像表示装置１０間の隙間ｄに挿入される挿入部５２とを含んで構成される。
【００６５】
連結部５１は、設置面４１を介して、ビスなどの締結具６１により額縁被覆部材３０に締結固定される。挿入部５２は、隣接する画像表示装置１０間の隙間ｄに挿入されたとき、隣接する一対のベゼル２１の各側面２１１間に亘って突っ張った状態で保持されるように、板ばね構造５２ａを備えている。また、隣接する画像表示装置１０間の隙間ｄから不用意に離脱してしまうことを防止するために、抜け止め構造５２ｂを備えている。
【００６６】
本実施形態によれば、このような差込部材５０を備えているので、額縁被覆部材３０を一対のベゼル２１に対して容易に設置することができる。なお、差込部材５０は、額縁被覆部材３０に限らず、前記実施形態に係る額縁被覆部材１３０，２３０，３３０を設置する際にも用いることができる。
【００６７】
上記実施形態に係る額縁被覆部材３０，１３０，２３０，３３０を一対のベゼル２１上に設置する際には、本実施形態のように、差込部材５０を用いるほか、接着シートなどで接着固定することにより行われてもよい。
【００６８】
図１１は、他の実施形態に係る額縁被覆部材４３０の設置状態を拡大して示す側面図である。本実施形態に係る額縁被覆部材４３０は、上記実施形態に係る額縁被覆部材３０に類似し、同一の構成については同一の参照符を付して説明を省略する。
【００６９】
本実施形態に係る額縁被覆部材４３０は、長手方向Ｙに垂直な断面の形状が、３辺の長さがそれぞれ異なる三角形と成るように形成されている。より詳細には、長手方向Ｙに沿って延びる３つの平坦な外周面４４１，４４２，４４３を有し、マルチディスプレイ装置１において縦方向位置の異なる一対のベゼル２１ｉ，２１ｊ，２１ｋに対し、それぞれ異なる外周面をベゼル２１に臨んで配置させるだけで設置できるような形状に形成されている。また、額縁被覆部材４３０は、平坦な外周面４４１，４４２，４４３の各表面全体に亘って、高い反射率で光を反射する光反射面を形成することによって構成されている。
【００７０】
本実施形態によれば、１つの形状の額縁被覆部材４３０を用いて、縦方向位置の異なる３段分の一対のベゼル２１ｉ，２１ｊ，２１ｋを被覆することができるので、製造すべき額縁被覆部材の種類をさらに低減することができる。このような額縁被覆部材４３０をベゼル２１に設置する際には、接着シートによって接着固定してもよく、磁力を利用して設置してもよい。
【００７１】
図１２は、他の実施形態に係るマルチディスプレイ装置１Ｂにおける額縁被覆部材５３０付近を拡大して示す断面図であり、額縁被覆部材５３０を除く残余の構成については仮想線で示している。本実施形態に係る額縁被覆部材５３０は、上記実施形態に係る額縁被覆部材３０に類似し、同一の構成については同一の参照符を付して説明を省略する。以下、額縁被覆部材５３０の構成について詳細に説明する。
【００７２】
額縁被覆部材５３０は、長尺に形成される長尺部材であり、その長手方向Ｙと、表示領域Ｖ１間に配置される一対のベゼル２１の延びる方向とが一致するように、その一対のベゼル２１上に設置される。額縁被覆部材５３０は、透光性を有する無色の棒状部材７０と、棒状部材７０に形成される光拡散部７１とを含んで構成される。
【００７３】
棒状部材７０は、たとえばポリカーボネート樹脂、アクリル樹脂、ＡＢＳ（Acrylonitrile-Butadiene-Styrene）樹脂、ガラスなどの材料から成り、三角柱状、詳細には、長手方向Ｙに垂直な仮想一平面で切断したときの断面の形状が三角形となるように形成される。
【００７４】
棒状部材７０は、長手方向Ｙに沿って延びる３つの平坦な外周面のうち、１つの外周面がベゼル２１に臨んで配置される設置面５４１を成し、残余の外周面が傾斜面５４２，５４３を成している。
【００７５】
額縁被覆部材５３０は、棒状部材７０における設置面５４１が一対のベゼル２１に臨むように設置され、これにより、設置状態では、各傾斜面５４２，５４３がそれぞれ、その一対のベゼル２１に隣接する各表示領域Ｖ１に臨むように配置される。
【００７６】
光拡散部７１は、本実施形態では、棒状部材７０における各傾斜面５４２，５４３の表面全体に亘って形成される。光拡散部７１は、光拡散部７１へ入射する光の一部を、拡散を生じて反射させるとともに、光拡散部７１へ入射する光の一部を、拡散を生じて透過させる機能を有する。
【００７７】
このような光拡散部７１は、たとえば、無色透明なバインダ樹脂に、アクリル樹脂などから成る無色透明な球状ポリマー粒子（拡散ビーズ）を分散させたものを、棒状部材７０における各傾斜面５４２，５４３に層状に塗布することによって形成することができる。また、他の方法として、棒状部材７０における各傾斜面５４２，５４３にブラスト加工を施すことによって形成してもよい。さらに他の方法としては、棒状部材７０の成型時に、各傾斜面５４２，５４３に相当する表面に微細な凹凸を賦形することによって形成してもよい。
【００７８】
本実施形態に係る額縁被覆部材５３０には、さらに、棒状部材７０の内部を通って設置面５４１に入射する光を高い反射率で反射するように、設置面５４１の表面全体に亘って光反射面が形成されている。このような光反射面は、光の反射性に優れた白色を呈するＰＥＴなどの合成樹脂製シートを、設置面５４１に貼着することによって、容易に形成することができる。
【００７９】
また、他の方法としては、アルミニウム、銀などを材料とする金属膜が形成された反射シートを、設置面５４１に貼着することによって形成してもよく、アルミニウムなどの金属薄膜を真空蒸着することによって形成してもよい。さらに他の方法としては、光の反射性に優れた白色を呈する塗料を、設置面５４１に塗装することによって形成してもよい。
【００８０】
額縁被覆部材５３０の設置は、たとえば接着シートなどを用いて、設置面５４１をベゼル２１の表面に接着固定することにより行われる。また、他の方法として、図１０に示すような差込部材５０を用いて設置してもよい。
【００８１】
本実施形態に係る額縁被覆部材５３０を一対のベゼル２１上に設置した状態で、マルチディスプレイ装置１を稼動させることにより各表示領域Ｖ１に画像が表示されると、一対のベゼル２１に近接する各縁領域Ｖ１１から表示画像に応じて出射される出射光のうち、一部の出射光Ａ１が、その縁領域Ｖ１１に臨む各傾斜面５４２，５４３にそれぞれ入射する。
【００８２】
一方の傾斜面５４２に入射する出射光Ａ１のうち、一部の光は、一方の傾斜面５４２に形成されている光拡散部７１によって、拡散を生じて反射し、一部の光は、拡散を生じて透過する。光拡散部７１を透過した光は、棒状部材７０の内部へ入射し、その大半が、直接、あるいは設置面５４１における反射を介して、他方の傾斜面５４３へ導かれ、他方の傾斜面５４３に形成されている光拡散部７１によって、一部の光は拡散を生じて反射し、一部の光は拡散を生じて透過する。他方の傾斜面５４３に入射した出射光Ａ１についても同様に振舞う。
【００８３】
これにより、傾斜面５４３からは、一方の縁領域Ｖ１１から出射した出射光Ａ１のうち、当該傾斜面５４３に形成されている光拡散部７１で拡散反射した拡散反射光と、他方の縁領域Ｖ１１から出射した出射光Ａ１のうち、棒状部材７０の内部へ入射し、その光拡散部７１を拡散透過した拡散透過光とが混じった光が、マルチディスプレイ装置１の正面側へ放射される。
【００８４】
本実施形態に係る額縁被覆部材５３０を設置すると、額縁被覆部材５３０の各傾斜面５４２，５４３からは、縁領域Ｖ１１に表示される画像に応じた光が、正面側へ向けて放射される。これにより、ベゼル２１を目立たなくさせることができる。したがって、各表示領域Ｖ１に表示される画像の一体感が増し、マルチディスプレイ装置１に表示される画像の品位の低下を防止することができる。
【００８５】
また、各傾斜面５４２，５４３からは、一方の縁領域Ｖ１１から出射した出射光Ａ１に由来する拡散反射光と、他方の縁領域Ｖ１１から出射した出射光Ａ１に由来する拡散透過光とが混合した光が放射されるので、一方の縁領域Ｖ１１と他方の縁領域Ｖ１１とにおいて、表示内容が全く異なる画像、つまり表示される色が大きく相違するような画像が表示されるような場合であっても、違和感を感じさせることなく、ベゼル２１を目立たなくさせることができる。
【００８６】
また、設置面５４１には、光反射面が形成されているので、棒状部材７０の内部へ入射した光が、設置面５４１を通過してベゼル２１に吸収されてしまうことを防止することができる。これにより、各傾斜面５４２，５４３から放射される光の光量が低下してしまうことを防止することができる。
【００８７】
本実施形態に係るマルチディスプレイ装置１Ｂは、前述の実施形態に係るマルチディスプレイ装置１と同様に、その縦方向および／または横方向における一対のベゼル２１の位置に応じて、高さ寸法ｈの異なる額縁被覆部材５３０がそれぞれ設置される。したがって、予め定められた視聴位置における視聴者がマルチディスプレイ装置１の画面を見たとき、表示領域Ｖ１が額縁被覆部材５３０の陰に隠れてしまうという不具合を防止することができる。
【００８８】
図１３は、他の実施形態に係る額縁被覆部材６３０を示す断面図であり、図１３（ａ）〜図１３（ｄ）は、それぞれ異なる形態に変化させたときの額縁被覆部材６３０を示している。
【００８９】
本実施形態に係る額縁被覆部材６３０は、複数の可動片６３１を蝶番によって回動自在に連結することにより構成され、これにより、図１３（ａ）〜図１３（ｄ）に示すように、所期の形態に容易に変化させることができる。なお、変形後の形態をベゼル２１上で維持できるように、各可動片６３１の連結箇所では、回動させるためにある程度の負荷が必要となるように連結されているのが好ましい。可動片６３１の幅寸法ｖは、たとえば６ｍｍである。
【００９０】
額縁被覆部材６３０は、本実施形態では、断面が三角形の筒状に変形されてベゼル２１上に設置されるものとし、ベゼル２１への設置状態において、長手方向Ｙに沿って延びる３つの外周面のうち、ベゼル２１に臨んで配置される外周面を設置面６４１、および該設置面に対し傾斜する残余の外周面を傾斜面６４２，６４３とする。また、額縁被覆部材６３０は、これら外周面に対し、高い反射率で光を反射する光反射面が形成されて構成されている。
【００９１】
図１３（ａ）では、一対のベゼル２１からの高さ寸法がｕ０、各傾斜面６４２，６４３の設置面６４１に対する傾斜角がいずれもθ４となるように変形されたときの額縁被覆部材６３０を示し、図１３（ｂ）では、一対のベゼル２１からの高さ寸法がｕ１、各傾斜面６４２，６４３の設置面６４１に対する傾斜角がいずれもθ５となるように変形されたときの額縁被覆部材６３０を示している。
【００９２】
また、図１３（ｃ）では、一対のベゼル２１からの高さ寸法がｕ２、各傾斜面６４２，６４３の設置面６４１に対する傾斜角がいずれもθ６となるように変形されたときの額縁被覆部材６３０を示し、図１３（ｄ）では、一対のベゼル２１からの高さ寸法がｕ３、各傾斜面６４２，６４３の設置面６４１に対する傾斜角がそれぞれθ７，θ８となるように変形されたときの額縁被覆部材６３０を示している。
【００９３】
図１３（ｄ）に示す額縁被覆部材６３０では、各傾斜面６４２，６４３の設置面６４１に対する傾斜角がそれぞれ異なる値となるように、額縁被覆部材６３０の一端部とベゼル２１との間にスペーサ８０を介在させて設置されている。
【００９４】
このように本実施形態に係る額縁被覆部材６３０は、一対のベゼル２１からの高さ寸法および設置面６４１に対する傾斜面６４２，６４３の傾斜角を容易に調整できるような機構を備えて構成されている。
【００９５】
本実施形態によれば、マルチディスプレイ装置１の設置環境を考慮して、一対のベゼル２１の縦方向位置に応じて、額縁被覆部材６３０の高さ寸法および傾斜角をそれぞれ適切な値に容易に調整することができるので、表示領域Ｖ１からの出射光Ａ１の額縁被覆部材６３０における受光量を最大限確保しつつ、予め定められた視聴位置における視聴者がマルチディスプレイ装置１の画面を見たときに、表示領域Ｖ１が額縁被覆部材６３０の陰に隠れてしまうという不具合を防止することができる。
【符号の説明】
【００９６】
１  マルチディスプレイ装置
１０  画像表示装置
２０  表示パネル
２０ａ  表示面
２１  ベゼル
３０  額縁被覆部材
４１  設置面
４２，４３  傾斜面
Ｖ１  表示領域
Ｖ１１  縁領域
Ｖ２  非表示領域
【図１】
2012226090.tif 000003
【図２】
2012226090.tif 000004
【図３】
2012226090.tif 000005
【図４】
2012226090.tif 000006
【図５】
2012226090.tif 000007
【図６】
2012226090.tif 000008
【図７】
2012226090.tif 000009
【図８】
2012226090.tif 000010
【図９】
2012226090.tif 000011
【図１０】
2012226090.tif 000012
【図１１】
2012226090.tif 000013
【図１２】
2012226090.tif 000014
【図１３】
2012226090.tif 000015